(57)【特許請求の範囲】
【請求項１】
投入口と、取出し扉を備えた取出し口を本体に有するポストにおいて、取出し扉は、ポスト本体への軸支部で回動による開閉が自在とされているとともに、取出し扉には、軸支部からポスト本体内側に折り曲げ部が延設されており、取出し扉の折り曲げ部およびポスト本体の少くともいずれか一方には錠受け部ないしは錠部が配設されて、取出し扉が閉められた時に施錠されるようにしていることを特徴とする錠付ポスト。
【請求項２】
取出し扉の折り曲げ部およびポスト本体の一方には施錠のための錠部が、また他方には錠受け部が配設されている請求項１の錠付ポスト。
【請求項３】
取出し扉およびポスト本体の一方もしくは両方には錠目隠し部が設けられている請求項１または２の錠付ポスト。
【請求項４】
取出し扉は、ポスト本体の底板端部の軸支部において上下に回動開閉自在とされている請求項１ないし３のいずれかの錠付ポスト。
【請求項５】
折り曲げ部下面には錠受け部が設けられているとともに、ポスト本体底板には錠受け部がポスト本体外方へ突出される開口が設けられている請求項４の錠付ポスト。
【請求項６】
取出し扉には、錠目隠し部が延設されている請求項４または５の錠付ポスト。
【発明の詳細な説明】
【０００１】
【発明の属する技術分野】
この出願の発明は、錠付ポストに関するものである。さらに詳しくは、この出願の発明は、郵便物、新聞等の紛失を防ぐのに有効で、しかも外観性も良好なスタンド式ポスト等としての錠付ポストに関するものである。
【０００２】
【従来の技術】
従来より、たとえば図４（Ａ）（Ｂ）の正面図および側断面図に例示したように、ポスト本体（１）をポール（２）の上端部に支持固定し、ポスト本体（１）には、投入口（３）とともに、取出し口（４）に取出し扉（５）を開閉自在に取付けたポストが知られている。
【０００３】
アメリカンポスト等と呼ばれているこのタイプのポストでは、一般的には、たとえば曲面状の側板（１１）と底板（１２）、投入口（３）を有する前板（１３）によってポスト本体（１）を構成し、取出し扉（５）は、ポスト本体（１）の底板（１２）端部に軸支して、たとえば図４（Ｂ）に矢印で示した上下の方向に、つまみ（６）を手に取って回動させることで開閉できるようにしているものが多い。
【０００４】
【発明が解決しようとする課題】
しかしながら、上記のようなポストの場合には、その構造上の特徴から施錠できるものとすることが難しく、無理に市販の錠を取り付けると外観性を大きく損うという問題があった。
すなわち、従来のスライド式ポストの場合には、側板（１１）が曲面状であるために錠を取り付けることが難しく、ポスト本体（１）内に錠を取り付けると郵便物等を傷つける可能性があったからである。
【０００５】
だが、郵便物の紛失等を防ぐためには施錠できる構造のものとすることが望ましく、しかも、ダイヤル錠が打ち掛け錠等の簡易な錠を用いることが利便性の点からも望ましいことも確かであった。
そこで、この出願の発明においては、以上のような従来の問題点を解消し、郵便物等の紛失を防ぐのに効果的なように簡便に施錠できる構造とし、しかも外観性を損うこともない、新しい錠付ポストを提供することを課題としている。
【０００６】
【課題を解決するための手段】
この出願の発明は、上記の課題を解決するものとして、第１には、投入口と、取出し扉を備えた取出し口を本体に有するポストにおいて、取出し扉は、ポスト本体への軸支部で回動による開閉が自在とされているとともに、取出し扉には、軸支部からポスト本体内側に折り曲げ部が延設されており、取出し扉の折り曲げ部およびポスト本体の少くともいずれか一方には錠受け部ないしは錠部が配設されて、取出し扉が閉められた時に施錠されるようにしていることを特徴とする錠付ポストを提供する。
【０００７】
また、この出願の発明は、第２には、取出し扉の折り曲げ部およびポスト本体の一方には施錠のための錠部が、また他方には錠受け部が配設されている錠付ポストを、第３には、取出し扉およびポスト本体の一方もしくは両方には錠目隠し部が設けられている錠付ポストを、第４には、取出し扉は、ポスト本体の底板端部の軸支部において上下に回動開閉自在とされている錠付ポストを、第５には、折り曲げ部下面には錠受け部が設けられているとともに、ポスト本体底板には錠受け部がポスト本体外方へ突出される開口が設けられている錠付ポストを、第６には、取出し扉には、錠目隠し部が延設されている錠付ポストを提供する。
【０００８】
【発明の実施の形態】
この出願の発明は、以上のとおりの特徴を有するものであるが、以下にその実施の形態について説明する。
この出願の第１の発明では、たとえば従来と同様に、投入口と、取出し扉を備えた取出し口とを本体に有するポストにおいて、実施例を示した図１の分解斜視図のように、取出し扉（５）は、ポスト本体（１）への軸支部（５１）で軸支された回動による開閉が自在とされているとともに、取出し扉（５）には、軸支部（５１）からポスト本体（１）の内側に折り曲げ部（５２）が延設されている。そして、この折り曲げ部（５２）およびポスト本体（１）の少くともいずれか一方には錠受け部ないしは錠部が配設されて、取出し扉（５）が閉められた時にはこの錠受け部において施錠されるようにしている。
【０００９】
具体的に図１に沿って例示説明すると、この図１の例の場合には、取出し扉（５）の折り曲げ部（５２）に錠受け部（５３）が設けられている。つまり、折り曲げ部（５２）の下面に錠受け部（５３）が設けられており、たとえば図２に例示したように、取出し扉（５）が開けられた状態：Ａから、取出し扉（５）を閉じた場合：Ｂには、錠受け部（５３）がポスト本体（１）の外方へと突出されることになる。図１に示したように、ポスト本体（１）の底板（１２）には、この突出を可能とするため開口（１２１）が設けられている。
【００１０】
錠受け部（５３）が突出された図２、さらには図３に示したような状態では、錠受け部（５３）の穴等にスライド錠（７）や市販ダイヤル錠等が差し込まれて施錠ができることになる。
以上の例示では、取出し扉（５）は上下開閉方式とし、錠受け部（５３）を折り曲げ部（５２）の下面に設けた場合を説明しているが、これに限られることはない。取出し扉（５）は、上下開閉方式だけでなく、左右開閉方式でもよく、回動開閉のための軸支部（５１）もその方式に対応して定められることになる。そして錠受け部（５３）ないしは錠部は、取出し扉（５）の折り曲げ部（５２）ではなく、ポスト本体（１）側に設けるようにしてもよい。たとえば、ポスト本体（１）の底板（１２）や側板（１１）の側から、取出し扉（５）が閉じている時にスライド片やピン等の錠部が折り曲げ部（５３）に係合ないし差し込まれるようにしてもよいし、その他各種の手段が採用されてよい。
【００１１】
いずれであっても、この出願の第１の発明においては、たとえば図１、図２および図３により例示説明したように、取出し扉（５）に折り曲げ部（５３）を延設し、この折り曲げ部（５３）が取出し扉（５）の回動開閉の操作に連動して回動するように、取出し扉（５）が閉まった状態において、折り曲げ部（５３）とポスト本体（１）との間で施錠可能としているので、取出し扉（５）の表面やポスト本体（１）の側板（１１）に大きく露出する施錠手段を直接取り付ける必要は全くなく、また、このため、ポストの外観性を大きく損うこともない。しかも、錠の取付けが難しいと考えられてきたスタンド式ポスト等において、簡便な構造で、簡単な操作での施錠を可能とする。郵便物の紛失の防止が効果的なものとなる。
【００１２】
この出願の第２の発明は、前記の取出し扉（５）の折り曲げ部（５２）およびポスト本体（１）のいずれか一方には錠部を、他方には錠受け部を設けることを特徴としている。この場合は、たとえば前記図３のように、折り曲げ部（５２）の下面には錠受け部（５３）を、ポスト本体（１）の底板（１２）下面の取り付け部（１２２）において、スライド錠（７）等の錠部を、配置する例としてある。この構造では、別個にダイヤル錠等を用意するまでもなく、より簡便に施錠が可能とされる。
【００１３】
そしてこの出願の第３の発明では、取出し扉（５）およびポスト本体（１）の一方、もしくは両方には、錠目隠し部を設けることを特徴としている。この錠目隠し部は、錠部や錠受け部がポスト本体（１）の外方に出てしまう場合でも、できるだけこれらを視線から遮断し、通常の生活視点に対しては、錠部が錠受け部ができるだけ露出していないように隠す役割を果たすことになる。
【００１４】
このような錠目隠し部は、たとえば図１、図２および図３に示した例では、ポスト本体（１）の底板（１２）に設けた下方折り曲げ部（１２３）や、取出し扉（５）に延設された目隠し部（５４）等として考慮される。このような錠目隠し部の存在によって、ポストの外観性は良好に維持されることになる。
この出願の第４、第５および第６の発明は、より具体的に、前記の図１および図２、さらに図３に例示した構造の錠付ポストであることを特徴としている。
【００１５】
すなわち、第４の発明では、取出し扉（５）は、ポスト本体（１）の底板（１２）端部の軸支部（５１）において、たとえば図２の状態Ａおよび状態Ｂのように上下に回動開閉を自在としている。ポスト本体（１）内から郵便物等を取出す場合に、つまみ（６）を持ってのこの上下開閉はその操作に無理がなく、側板（１１）が曲面状であるとすると構造的にも合理的であり、特に、取出し扉（５）に延設した折り曲げ部（５２）の下方部に錠受け部（５３）等の施錠手段が設けられるため、簡便な構造、操作を特徴とする錠付ポストが実現されることになる。外観性を良好に維持することも容易である。
【００１６】
第５の発明では、すでに説明したように、折り曲げ部（５２）の下面に錠受け部（５３）が設けられるとともに、ポスト本体（１）の底板（１２）には、この錠受け部（５３）をポスト本体（１）の外方に突出させる開口（１２１）が設けられているものとする。
図１、図２および図３に例示したように、たとえば錠受け部（５３）は、錠がかかる穴を有しており、この穴にスライド錠や、ダイヤル錠等が差し込まれて簡便容易に施錠されることになる。そして、このような構造のポストとすることにより、施錠部が最も視線に対して露出度の小さい位置、つまり底板（１２）の裏側となるため、ポストの外観性がより良好に保たれることになる。
【００１７】
第６の発明では、取出し扉（５）に錠の目隠し部（５４）が延設される。取出し扉（５）が閉じられている時の施錠部をより効果的に目隠しすることになる。そして取出し扉（５）と一体化されたものとすることで、目隠し部（５４）に外観意匠上の異和感がないものとなる。
もちろん、この出願の発明は以上の例示説明によって限定されることはない。その細部について様々な態様があることは言うまでもない。
【００１８】
【発明の効果】
以上詳しく説明したとおり、この出願の発明によって、従来では錠の取付けが難しかったスタンド式ポスト等の場合においても、郵便物の紛失を防ぐのに効果的な錠付ポストを、簡便な構造で、しかも外観性を良好に保つことが可能なものとして提供することができる。
【図面の簡単な説明】
【図１】この出願の発明の実施例を示した分解斜視図である。
【図２】図１に対応する要部側断面図である。
【図３】この発明のポストを底板の側から見た例を示した斜視図である。
【図４】（Ａ）（Ｂ）は、従来のポストを示した正面図と側断面図である。
【符号の説明】
１  ポスト本体
１１  側板
１２  底板
１２１  開口
１２２  錠取付部
１２３  下方折り曲げ部
１３  前板
２  ポール
３  投入口
４  取出し口
５  取出し扉
５１  軸支部
５２  折り曲げ部
５３  錠受け部
５４  目隠し部
６  つまみ
７  スライド錠
【図１】
0003613064.tif 000002
【図２】
0003613064.tif 000003
【図３】
0003613064.tif 000004
【図４】
0003613064.tif 000005